(57)【要約】【課題】  フリッカデータが発生した入力値が入力された場合でも、光源の点灯状態を安定させることができる調光装置及び光源装置を提供する。【解決手段】  光源装置は、光源と、光源の明るさを制御する調光装置と、を備える。調光装置は、連続的に入力される入力値に対応する制御値を演算する制御部を備え、制御部は、入力された入力値が当該入力値の直近の入力値に対応する制御値から変化する際に、該変化量が下限設定値未満である場合には、当該入力値の直近以前の入力値、又は、当該入力値の直近以前の入力値に対応する制御値に基づいて、当該入力値に対応する制御値を演算する。【選択図】  図２
2016195023.tif 000002
【特許請求の範囲】
【請求項１】
光源の明るさを制御するために、連続的に入力される入力値に対応する制御値を演算する制御部を備え、
前記制御部は、入力された入力値が当該入力値の直近の入力値に対応する制御値から変化する際に、該変化量が下限設定値以上である場合には、当該入力値を、当該入力値に対応する制御値とし、該変化量が下限設定値未満である場合には、当該入力値の直近以前の入力値、又は、当該入力値の直近以前の入力値に対応する制御値に基づいて、当該入力値に対応する制御値を演算する調光装置。
【請求項２】
前記制御部は、入力された入力値が当該入力値の直近の入力値に対応する制御値から変化する際に、該変化量が下限設定値未満である場合には、当該入力値の直近所定数の入力値の平均値を、当該入力値に対応する制御値とする請求項１に記載の調光装置。
【請求項３】
前記制御部は、入力された入力値が当該入力値の直近の入力値に対応する制御値から変化する際に、該変化量が下限設定値未満である場合には、当該入力値の直近所定数の入力値に対応する制御値の平均値を、当該入力値に対応する制御値とする請求項１に記載の調光装置。
【請求項４】
前記制御部は、入力された入力値が当該入力値の直近の入力値に対応する制御値から変化する際に、該変化量が下限設定値未満である場合には、当該入力値の直近の入力値に対応する制御値を、当該入力値に対応する制御値とする請求項１に記載の調光装置。
【請求項５】
前記制御部は、入力された入力値が当該入力値の直近の入力値に対応する制御値から変化する際に、該変化量が下限設定値未満である場合には、当該入力値の直近の入力値を、当該入力値に対応する制御値とする請求項１に記載の調光装置。
【請求項６】
前記制御部は、入力された入力値が当該入力値の直近の入力値に対応する制御値から変化する際に、該変化量が前記下限設定値以上であり且つ上限設定値未満である場合には、当該入力値を、当該入力値に対応する制御値とし、該変化量が上限設定値以上である場合には、当該入力値の直近以前の入力値、又は、当該入力値の直近以前の入力値に対応する制御値に基づいて、当該入力値に対応する制御値を演算する請求項１〜５の何れか１項に記載の調光装置。
【請求項７】
光源と、
前記光源の明るさを制御する請求項１〜６の何れか１項に記載の調光装置と、を備える光源装置。
【発明の詳細な説明】
【技術分野】
【０００１】
本発明は、光源の明るさを制御する制御部を備える調光装置と、該調光装置を備える光源装置に関する。
【背景技術】
【０００２】
従来、調光装置として、光源を調光するために、連続的に入力される入力値に基づいて光源の明るさを制御するための制御値を演算する制御部を備える調光装置が、知られている（例えば、特許文献１）。そして、入力値は、例えば、ユーザがスライドスイッチ等の操作部を操作することで、調光装置に入力される。
【０００３】
ところで、操作部であるスライドスイッチが、例えば、可変抵抗器に基づくアナログ電圧値として信号を出力する場合には、入力値は、Ａ／Ｄ変換器、及びＤＭＸ通信等のシリアル通信等を経由して、調光装置に入力される。斯かる入力値は、例えば、可変抵抗器への電圧が変動したり、リップル電圧によるＡ／Ｄ変換値のバラツキが発生したりした場合に、操作部を操作しない状態でも、フリッカデータ（小さな値の変化が続く状態）が発生する。
【０００４】
そして、特許文献１に係る調光装置は、フリッカデータが発生した入力値が入力されると、それに伴って、光源の明るさが小さく変化するように制御することになる。これにより、光源の点灯状態が不安定になるという問題があった。
【先行技術文献】
【特許文献】
【０００５】
【特許文献１】特開平７−３２０８７９号公報
【発明の概要】
【発明が解決しようとする課題】
【０００６】
よって、本発明は、斯かる事情に鑑み、フリッカデータが発生した入力値が入力された場合でも、光源の点灯状態を安定させることができる調光装置及び光源装置を提供することを課題とする。
【課題を解決するための手段】
【０００７】
調光装置は、光源の明るさを制御するために、連続的に入力される入力値に対応する制御値を演算する制御部を備え、前記制御部は、入力された入力値が当該入力値の直近の入力値に対応する制御値から変化する際に、該変化量が下限設定値以上である場合には、当該入力値を、当該入力値に対応する制御値とし、該変化量が下限設定値未満である場合には、当該入力値の直近以前の入力値、又は、当該入力値の直近以前の入力値に対応する制御値に基づいて、当該入力値に対応する制御値を演算する。
【０００８】
また、調光装置においては、前記制御部は、入力された入力値が当該入力値の直近の入力値に対応する制御値から変化する際に、該変化量が下限設定値未満である場合には、当該入力値の直近所定数の入力値の平均値を、当該入力値に対応する制御値とする、という構成でもよい。
【０００９】
また、調光装置においては、前記制御部は、入力された入力値が当該入力値の直近の入力値に対応する制御値から変化する際に、該変化量が下限設定値未満である場合には、当該入力値の直近所定数の入力値に対応する制御値の平均値を、当該入力値に対応する制御値とする、という構成でもよい。
【００１０】
また、調光装置においては、前記制御部は、入力された入力値が当該入力値の直近の入力値に対応する制御値から変化する際に、該変化量が下限設定値未満である場合には、当該入力値の直近の入力値に対応する制御値を、当該入力値に対応する制御値とする、という構成でもよい。
【００１１】
また、調整装置においては、前記制御部は、入力された入力値が当該入力値の直近の入力値に対応する制御値から変化する際に、該変化量が下限設定値未満である場合には、当該入力値の直近の入力値を、当該入力値に対応する制御値とする、という構成でもよい。
【００１２】
また、調光装置においては、前記制御部は、入力された入力値が当該入力値の直近の入力値に対応する制御値から変化する際に、該変化量が前記下限設定値以上であり且つ上限設定値未満である場合には、当該入力値を、当該入力値に対応する制御値とし、該変化量が上限設定値以上である場合には、当該入力値の直近以前の入力値、又は、当該入力値の直近以前の入力値に対応する制御値に基づいて、当該入力値に対応する制御値を演算する、という構成でもよい。
【００１３】
また、光源装置は、光源と、前記光源の明るさを制御する前記調光装置と、を備える。
【発明の効果】
【００１４】
以上の如く、本発明は、フリッカデータが発生した入力値が入力された場合でも、光源の点灯状態を安定させることができる、という優れた効果を奏する。
【図面の簡単な説明】
【００１５】
【図１】一実施形態に係る光源装置の全体図であって、制御ブロック図である。
【図２】同実施形態に係る調光装置の制御フローチャートである。
【図３】同実施形態に係る調光装置の制御を説明する図であって、入力値を示す図である。
【図４】同実施形態に係る調光装置の制御を説明する図であって、図３の入力値に対応する制御値を示す図である。
【図５】同実施形態に係る調光装置の制御を説明する図であって、入力値を示す図である。
【図６】同実施形態に係る調光装置の制御を説明する図であって、図５の入力値に対応する制御値を示す図である。
【図７】他の実施形態に係る調光装置の制御フローチャートである。
【図８】さらに他の実施形態に係る調光装置の制御フローチャートである。
【図９】さらに他の実施形態に係る調光装置の制御フローチャートである。
【図１０】さらに他の実施形態に係る調光装置の制御フローチャートである。
【図１１】さらに他の実施形態に係る調光装置の制御フローチャートである。
【発明を実施するための形態】
【００１６】
以下、調光装置及び光源装置における一実施形態について、図１〜図６を参酌して説明する。
【００１７】
図１に示すように、本実施形態に係る光源装置１は、発光する光源２と、光源２を調光するために調光値の情報を入力する入力装置３とを備えている。そして、光源装置１は、入力装置３に入力された情報に基づいて、光源２の明るさを制御する調光装置４を備えている。
【００１８】
光源２は、発光するＬＥＤ、ＬＤ、ランプ等の発光部を備えている。そして、光源装置１は、例えば、投影装置（プロジェクタ等）、照明装置（ファイバ照明装置、スポット照明装置等）等に用いられる。
【００１９】
入力装置３は、ユーザが所望の調光値を入力するために、ユーザに操作される操作部３ａを備えている。本実施形態においては、操作部３ａは、スライドスイッチとしているが、斯かる構成に限られず、例えば、回転スイッチ、テンキースイッチ等でもよい。
【００２０】
入力装置３は、例えば、操作部３ａのスイッチ位置をアナログ電圧値として検出し、当該アナログ電圧値をデジタルデータに変換した後、ＤＭＸ通信等のシリアル通信にて調光装置４に調光値データを送信する。そして、入力装置３は、操作部３ａの操作の有無に関わらず、調光値データを、所定の周期で連続的に調光装置４へ送信する。
【００２１】
調光値データは、通信周波数に応じた周期で、入力装置３から調光装置４に連続的に送信される。例えば、調光値データは、通信周波数が４４Ｈｚである場合には、２２．７ｍｓ（＝１／４４Ｈｚ）ごとに、入力装置３から調光装置４に送信される。
【００２２】
また、調光値データは、光源２の階調（調光値変化量）の数に応じたビット数のデータである。例えば、調光値データは、光源２の階調が２５６階調である場合には、８ビットのデータであり、また、光源２の階調が５１２階調である場合には、９ビットのデータとなる。
【００２３】
調光装置４は、入力装置３から送信された調光値データを受信して入力値として入力される入力部５と、各種データを記憶する記憶部６とを備えている。また、調光装置４は、光源２の明るさを制御するために、連続的に入力される入力値に対応する制御値を演算する制御部７と、光源２に向けて電力を出力する出力部８とを備えている。
【００２４】
記憶部６は、設定値（具体的には、下限設定値）を記憶する設定値記憶部６ａと、入力部５に入力された入力値を記憶する入力値記憶部６ｂと、制御部７で演算された制御値を記憶する制御値記憶部６ｃとを備えている。なお、設定値は、既定値としてもよく、また、例えば、入力装置３で入力されることで変更可能であってもよい。
【００２５】
入力値記憶部６ｂは、所定数（例えば、６４個）の入力値を記憶しており、先入れ先出し方式で入力値を記憶及び消去している。また、制御値記憶部６ｃも、所定数（例えば、６４個）の制御値を記憶しており、先入れ先出し方式で制御値を記憶及び消去している。なお、当該所定数は、既定値としてもよく、また、例えば、入力装置３で入力されることで変更可能であってもよい。
【００２６】
制御部７は、各種データを判定する判定部７ａと、各入力値に対応する制御値を演算する演算部７ｂとを備えている。そして、出力部８は、制御値記憶部６ｃに記憶されている制御値に基づいて、光源２に向けて電力を出力する。
【００２７】
ここで、下限設定値を決定する方法の一例について、説明する。
【００２８】
例えば、スライドスイッチにおける操作部３ａにおいて、調光値の最小値から最大値への操作時間が２秒以上であるような、遅い操作で変化するような入力値に対して、フリッカデータが発生したと仮定する。
【００２９】
そして、例えば、通信周波数が４４Ｈｚであり、調光値データが２５６階調である場合であって、調光値の最小値から最大値への操作時間が２秒である操作を行った場合、所定の入力値と当該入力値の直近の入力値との変化量は、２．９０（＝（２５６階調−１）／（４４Ｈｚ×２秒））となる。しがたって、このような場合には、下限設定値は、２．９０の小数点以下を切り下げて、「２」と決定する。
【００３０】
本実施形態に係る光源装置１の構成については以上の通りであり、次に、本実施形態に係る調光装置４の制御方法について、図２を参酌して説明する。
【００３１】
入力値が入力部５に入力されると、入力値記憶部６ｂが当該入力値を記憶する。そして、図２に示すように、判定部７ａは、入力値記憶部６ｂに記憶されている当該入力値と、制御値記憶部６ｃに記憶されている直近の入力値に対応する制御値とを比較する（Ｓ１１）。
【００３２】
そして、判定部７ａが、当該入力値が直近の入力値に対応する制御値と変化していない、即ち、同じであると判定した場合には（Ｓ１２の「Ｎ」）、演算部７ｂは、直近の入力値に対応する制御値を、当該入力値に対応する制御値とする（Ｓ２１）。即ち、演算部７ｂは、当該入力値に対応する制御値を、直近の入力値に対応する制御値と同じにする。
【００３３】
一方、判定部７ａは、当該入力値が直近の入力値に対応する制御値に対して変化したと判定した場合には（Ｓ１２の「Ｙ」）、さらに、その変化量と設定値記憶部６ａに記憶されている下限設定値とを比較する。そして、判定部７ａが、変化量が下限設定値以上である、と判定した場合には（Ｓ１３の「Ｙ」）、演算部７ｂは、当該入力値を、当該入力値に対応する制御値とする（Ｓ２２）。
【００３４】
反対に、判定部７ａが、変化量が下限設定値未満である、と判定した場合には（Ｓ１３の「Ｎ」）、演算部７ｂは、当該入力値の直近所定数（例えば、１６個）の入力値の平均値を、当該入力値に対応する制御値とする（Ｓ２３）。なお、当該所定数は、既定値としてもよく、また、例えば、入力装置３で入力されることで変更可能であってもよい。また、演算した当該平均値に端数が生じた場合には、四捨五入、切り上げ、切り下げ等の処理をしたものが制御値となる。
【００３５】
その後、演算部７ｂで演算された（Ｓ２１〜２３）制御値が、制御値記憶部６ｃに記憶される。そして、出力部８は、制御値記憶部６ｃに記憶されている制御値に基づいて、光源２に向けて電力を出力する。例えば、出力部８は、調光値データである制御値を、電力データである出力値に変換した後、当該出力値に基づいて、光源２に電力を出力する。このようにして、光源２の調光が、調光装置４により行われる。
【００３６】
次に、本実施形態に係る調光装置４の制御による入力値と制御値との関係について、図３〜図６を参酌して説明する。なお、本実施形態においては、調光値データである入力値及び制御値は、２５６階調のデータとし、下限設定値は、「２」としている。
【００３７】
また、入力値が入力部５に入力される時間と、演算部７ｂが当該入力値に対応する制御値を演算する時間との間には、実際には、タイムラグが発生するが、図３〜図６は、そのタイムラグが発生しないものとして示している。即ち、時間ｔＮ（Ｎは整数）の入力値に対応する制御値は、時間ｔＮの制御値である。
【００３８】
まず、入力装置３の操作部３ａが操作していないにも関わらず、フリッカデータが発生した入力値が入力された場合について、図３及び図４を参酌して説明する。
【００３９】
斯かる場合の一例の入力値が、図３に示されている。図３においては、時間ｔ１〜ｔ１６に入力部５に入力された入力値が、「Ｄ１」であり、時間ｔ１７に入力部５に入力された入力値が、「Ｄ１＋１」であり、時間ｔ１８に入力部５に入力された入力値が、「Ｄ１」である。また、時間ｔ３１に入力部５に入力された入力値が、「Ｄ１」であり、時間ｔ３２に入力部５に入力された入力値が、「Ｄ１−１」であり、時間ｔ３３に入力部５に入力された入力値が、「Ｄ１」である。
【００４０】
それに対して、判定部７ａは、時間ｔ１７の入力値が直近の時間ｔ１６の制御値に対して変化したと判定する（図２のＳ１２の「Ｙ」）。そして、変化量「１」が、下限設定値「２」未満であるため、判定部７ａは、変化量が下限設定値未満である、と判定する（図２のＳ１３の「Ｎ」）。
【００４１】
したがって、演算部７ｂは、時間ｔ１７の入力値の直近１６個である時間ｔ１〜ｔ１６の入力値の平均値を、時間ｔ１７の制御値とする（図２のＳ２３）。具体的には、図４に示すように、時間ｔ１〜ｔ１６の入力値が「Ｄ１」で一定であるため、時間ｔ１７の制御値は、「Ｄ１」となる。
【００４２】
また、時間ｔ１８の入力値は、時間ｔ１７の入力値に対して変化しているが、時間ｔ１７の制御値に対しては変化していない。これにより、判定部７ａは、時間ｔ１８の入力値が直近の時間ｔ１７の制御値に対して変化していないと判定する（図２のＳ１２の「Ｎ」）。したがって、演算部７ｂは、直近の時間ｔ１７の制御値を、時間ｔ１８の制御値とする（図２のＳ２１）。具体的には、図４に示すように、時間ｔ１７の制御値が「Ｄ１」であるため、時間ｔ１８の制御値は、「Ｄ１」となる。
【００４３】
また、説明しないが、同様に、時間ｔ３１〜ｔ３３の入力値がフリッカデータで変化するにも関わらず、図４に示すように、時間ｔ３１〜ｔ３３の制御値は、一定となる。このように、フリッカデータが発生した入力値が入力された場合でも、制御値を安定させることができる。
【００４４】
次に、入力装置３の操作部３ａが操作されることで、変化した入力値が入力された場合について、図５及び図６を参酌して説明する。
【００４５】
斯かる場合の一例の入力値が、図５に示されている。図５においては、時間ｔ４１に入力部５に入力された入力値が、「Ｄ２」であり、一定の値「５」ずつ増加し、時間ｔ４５に入力部５に入力された入力値が、「Ｄ２＋２０」である。また、時間ｔ５１に入力部５に入力された入力値が、「Ｄ２＋２０」であり、一定の値「５」ずつ減少し、時間ｔ５５に入力部５に入力された入力値が、Ｄ２である。
【００４６】
それに対して、判定部７ａは、時間ｔ４２の入力値が直近の時間ｔ４１の制御値に対して変化したと判定する（図２のＳ１２の「Ｙ」）。そして、変化量「５」が、下限設定値「２」以上であるため、判定部７ａは、変化量が下限設定値以上である、と判定する（図２のＳ１３の「Ｙ」）。
【００４７】
したがって、演算部７ｂは、時間ｔ４２の入力値を、時間ｔ４２の制御値にする（図２のＳ２２）。具体的には、図６に示すように、時間４２の入力値が「Ｄ２＋５」であるため、時間ｔ４２の制御値は、「Ｄ２＋５」となる。
【００４８】
また、説明しないが、同様に、時間ｔ４３〜４５及びｔ５２〜５５の制御値は、時間ｔ４３〜４５及びｔ５２〜５５の入力値となる。このように、入力装置３の操作部３ａが操作された場合には、変化した入力値に追従して、制御値を適切に変化させることができる。
【００４９】
以上より、本実施形態に係る光源装置１は、光源２と、前記光源２の明るさを制御する調光装置４と、を備える。
【００５０】
そして、本実施形態に係る調光装置４は、光源２の明るさを制御するために、連続的に入力される入力値に対応する制御値を演算する制御部７を備え、前記制御部７は、入力された入力値が当該入力値の直近の入力値に対応する制御値から変化する際に、該変化量が下限設定値以上である場合には、当該入力値を、当該入力値に対応する制御値とし、該変化量が下限設定値未満である場合には、当該入力値の直近以前の入力値、又は、当該入力値の直近以前の入力値に対応する制御値に基づいて、当該入力値に対応する制御値を演算する。
【００５１】
斯かる構成によれば、入力された入力値が当該入力値の直近の入力値に対応する制御値から変化した場合でも、該変化量が下限設定値未満である場合には、当該入力値に対応する制御値は、当該入力値の直近以前の入力値、又は、当該入力値の直近以前の入力値に対応する制御値に基づいて、演算される。これにより、フリッカデータが発生した入力値が入力された場合でも、光源２の点灯状態を安定させることができる。
【００５２】
また、該変化量が下限設定値以上である場合には、当該入力値に対応する制御値は、当該入力値となる。これにより、入力値の変化が、フリッカデータに起因するものではなく、例えば、ユーザの操作に起因する意図的なものである場合には、光源２の調光を適切に行うことができる。
【００５３】
また、本実施形態に係る調光装置４においては、前記制御部７は、入力された入力値が当該入力値の直近の入力値に対応する制御値から変化する際に、該変化量が下限設定値未満である場合には、当該入力値の直近所定数の入力値の平均値を、当該入力値に対応する制御値とする、という構成である。
【００５４】
斯かる構成によれば、入力された入力値が当該入力値の直近の入力値に対応する制御値から変化する際に、該変化量が下限設定値未満である場合には、当該入力値に対応する制御値は、当該入力値の直近所定数の入力値の平均値となる。これにより、フリッカデータが発生した入力値が入力された場合に、光源２の点灯状態を安定させることができるだけでなく、例えば、下限設定値の範囲内で入力値が意図的に変化した場合、入力値の変化に近似した制御値を得ることができる。
【００５５】
なお、調光装置及び光源装置は、上記した実施形態の構成に限定されるものではなく、また、上記した作用効果に限定されるものではない。また、調光装置及び光源装置は、本発明の要旨を逸脱しない範囲内において種々変更を加え得ることは勿論である。例えば、下記する各種の変更例に係る構成や方法等を任意に選択して、上記した実施形態に係る構成や方法等に採用してもよいことは勿論である。
【００５６】
上記実施形態に係る調光装置４においては、制御部７は、入力された入力値が当該入力値の直近の入力値に対応する制御値から変化する際に、該変化量が下限設定値未満である場合には、当該入力値の直近所定数の連続的な入力値の平均値を、当該入力値に対応する制御値とする、という構成である。しかしながら、調光装置は、斯かる構成に限られない。
【００５７】
例えば、調光装置においては、当該入力値の直近所定数の連続的な入力値の平均値ではなく、当該入力値の直近所定数の断続的な入力値（例えば、一つおき、二つおき等）の平均値を、当該入力値に対応する制御値とする、という構成でもよい。また、例えば、調光装置においては、制御部７は、図７に示すように、当該入力値の直近所定数の入力値に対応する制御値の平均値を、当該入力値に対応する制御値とする（図７のＳ２４）、という構成でもよい。
【００５８】
また、例えば、調光装置においては、制御部７は、図８に示すように、当該入力値の直近の入力値に対応する制御値を、当該入力値に対応する制御値とする（図８のＳ２１）、という構成でもよい。また、例えば、調光装置においては、制御部７は、図９に示すように、当該入力値の直近の入力値を、当該入力値に対応する制御値とする（図９のＳ２５）、という構成でもよい。図７〜図９に係る調光装置について、以下に説明する。
【００５９】
図７に係る調光装置においては、制御部７は、入力された入力値が当該入力値の直近の入力値に対応する制御値から変化する際に、該変化量が下限設定値未満である場合には、当該入力値の直近所定数の入力値に対応する制御値の平均値を、当該入力値に対応する制御値とする、という構成である。
【００６０】
斯かる構成によれば、入力された入力値が当該入力値の直近の入力値に対応する制御値から変化する際に、該変化量が下限設定値未満である場合には（Ｓ１３の「Ｎ」）、当該入力値に対応する制御値は、当該入力値の直近所定数の入力値に対応する制御値の平均値となる（Ｓ２４）。これにより、フリッカデータが発生した入力値が入力された場合に、光源２の点灯状態を確実に安定させることができる。
【００６１】
なお、図７に係る制御においては、制御部７は、例えば、当該入力値の直近所定数の連続的な入力値に対応する制御値の平均値を、当該入力値に対応する制御値とする、という構成でもよく、また、例えば、当該入力値の直近所定数の断続的な入力値（例えば、一つおき、二つおき等）に対応する制御値の平均値を、当該入力値に対応する制御値とする、という構成でもよい。
【００６２】
また、図８に係る調光装置においては、制御部７は、入力された入力値が当該入力値の直近の入力値に対応する制御値から変化する際に、該変化量が下限設定値未満である場合には、当該入力値の直近の入力値に対応する制御値を、当該入力値に対応する制御値とする、という構成である。
【００６３】
斯かる構成によれば、入力された入力値が当該入力値の直近の入力値に対応する制御値から変化する際に、該変化量が下限設定値未満である場合には（Ｓ１３の「Ｎ」）、当該入力値に対応する制御値は、当該入力値の直近の入力値に対応する制御値となる（Ｓ２１）。これにより、例えば、制御部７での演算を簡素化することができるため、制御部７の負荷を軽減することができる。
【００６４】
なお、図８に係る制御においては、図２のＳ１２を省略しているが、勿論、図２のＳ１２を追加してもよい。また、図８の制御においては、制御部７は、例えば、当該入力値の直近ではなく二つ前又は三つ前等の入力値に対応する制御値を、当該入力値に対応する制御値とする、という構成でもよい。
【００６５】
また、図９に係る調光装置においては、制御部７は、入力された入力値が当該入力値の直近の入力値に対応する制御値から変化する際に、該変化量が下限設定値未満である場合には、当該入力値の直近の入力値を、当該入力値に対応する制御値とする、という構成である。
【００６６】
斯かる構成によれば、入力された入力値が当該入力値の直近の入力値に対応する制御値から変化する際に、該変化量が下限設定値未満である場合には（Ｓ１３の「Ｎ」）、当該入力値に対応する制御値は、当該入力値の直近の入力値となる（Ｓ２５）。これにより、例えば、制御部７での演算を簡素化することができるため、制御部７の負荷を軽減することができる。なお、図９の制御においては、制御部７は、例えば、当該入力値の直近ではなく二つ前又は三つ前等の入力値を、当該入力値に対応する制御値とする、という構成でもよい。
【００６７】
また、上記実施形態に係る調光装置４においては、制御部７は、入力された入力値が当該入力値の直近の入力値に対応する制御値から変化する際に、該変化量が下限設定値以上である場合には、必ず、当該入力値を、当該入力値に対応する制御値とする、という構成である。しかしながら、調光装置は、斯かる構成に限られない。
【００６８】
例えば、調光装置においては、図１０に示すように、制御部７は、入力された入力値が当該入力値の直近の入力値に対応する制御値から変化する際に、該変化量が下限設定値以上であり且つ上限設定値未満である場合には、当該入力値を、当該入力値に対応する制御値とし、該変化量が上限設定値以上である場合には、当該入力値の直近以前の入力値、又は、当該入力値の直近以前の入力値に対応する制御値に基づいて、当該入力値に対応する制御値を演算する、という構成でもよい。
【００６９】
図１０に係る制御について、以下に説明する。図１０に係る制御においては、判定部７ａは、変化量が下限設定値以上である、と判定した場合には（Ｓ１３の「Ｙ」）、その変化量と設定値記憶部６ａに記憶されている上限設定値とを比較する。
【００７０】
そして、判定部７ａが、変化量が上限設定値未満である、と判定した場合には（Ｓ１４の「Ｙ」）、演算部７ｂは、当該入力値を、当該入力値に対応する制御値とする（Ｓ２２）。反対に、判定部７ａが、変化量が上限設定値以上である、と判定した場合には（Ｓ１４の「Ｎ」）、演算部７ｂは、直近の入力値に対応する制御値を、当該入力値に対応する制御値とする（Ｓ２１）。
【００７１】
斯かる構成によれば、入力された入力値が当該入力値の直近の入力値に対応する制御値から変化する際に、該変化量が上限設定値以上である場合には、当該入力値に対応する制御値は、当該入力値の直近以前の入力値、又は、当該入力値の直近以前の入力値に対応する制御値に基づいて、演算される。これにより、大きなノイズである入力値が入力された場合でも、光源２の点灯状態を安定させることができる。
【００７２】
なお、図１０に係る制御においては、判定部７ａが、変化量が上限設定値未満である、と判定した場合には（Ｓ１４の「Ｎ」）、例えば、演算部７ｂは、二つ前又は三つ前等の入力値に対応する制御値を、当該入力値に対応する制御値とする、という方法でもよい。また、前記場合には（Ｓ１４の「Ｎ」）、例えば、演算部７ｂは、当該入力値の直近所定数（例えば、１６個）の連続的な又は断続的な入力値の平均値を、当該入力値に対応する制御値とする（Ｓ２３）、という方法でもよい。
【００７３】
また、前記場合には（Ｓ１４の「Ｎ」）、例えば、演算部７ｂは、当該入力値の直近所定数（例えば、１６個）の連続的な又は断続的な入力値に対応する制御値の平均値を、当該入力値に対応する制御値とする（図７のＳ２４）、という方法でもよい。また、前記場合には（Ｓ１４の「Ｎ」）、例えば、演算部７ｂは、直近（又は二つ前、三つ前等）の入力値を、当該入力値に対応する制御値とする（図９のＳ２５）、という方法でもよい。
【００７４】
また、上記実施形態に係る調光装置４においては、制御部７は、当該入力値が直近の入力値に対応する制御値と同じ際に（図２のＳ１２の「Ｎ」）、直近の入力値に対応する制御値を、当該入力値に対応する制御値とする（図２のＳ２１）、という構成である。しかしながら、調光装置は、斯かる構成に限られない。
【００７５】
例えば、調光装置においては、図１１に示すように、制御部７は、当該入力値が直近の入力値に対応する制御値と同じ際に（Ｓ１２の「Ｎ」）、当該入力値を、当該入力値に対応する制御値とする（Ｓ２２）、という構成でもよい。要するに、制御部７は、当該入力値が直近の入力値に対応する制御値と同じ際に、当該入力値に対応する制御値を、直近の入力値に対応する制御値と同じにするような演算をする、という構成であればよい。
【００７６】
また、上記実施形態に係る調光装置４においては、記憶部６は、入力値を記憶する入力値記憶部６ｂと、制御値を記憶する制御値記憶部６ｃとを備えている、という構成である。しかしながら、調光装置は、斯かる構成に限られない。例えば、調光装置においては、記憶部６は、入力値を一旦記憶して、当該入力値に対応する制御値が演算された後に、当該入力値を当該制御値に置換する（即ち、当該入力値を消去する）、という構成でもよい。
【００７７】
また、上記実施形態に係る調光装置４においては、制御部７は、連続的に入力される全ての入力値に対応する制御値を演算する、という構成である。しかしながら、調光装置は、斯かる構成に限られない。例えば、調光装置においては、制御部７は、連続的に入力される入力値に対して、一部（例えば、一つおき、二つおき）の入力値に対応する制御値を演算する、という構成でもよい。斯かる構成においては、制御値を演算されなかった入力値は、調光の制御に用いない。
【００７８】
また、上記実施形態に係る調光装置４においては、下限設定値は、入力値や制御値の絶対値に関係なく、１つのみ設定されている、という構成である。しかしながら、調光装置は、斯かる構成に限られない。例えば、調光装置においては、下限設定値は、直近の入力値に対応する制御値の大きさ（絶対値の大きさ）ごとに、複数設定されている、という構成でもよい。
【００７９】
例えば、暗い領域の明るさの変化は、非常に感じやすい一方、明るい領域の明るさの変化は、それほど感じない。したがって、直近の入力値に対応する制御値が大きいほど、下限設定値が大きくなるように、直近の入力値に対応する制御値の大きさごとに、複数設定されてもよい。
【００８０】
また、上記実施形態に係る調光装置４は、入力装置３と別体であって、通信を経由することで、入力装置３から調光値データを受信する、という構成である。しかしながら、調光装置は、斯かる構成に限られない。例えば、調光装置は、入力装置３と一体であって、操作部３ａでの操作により、通信を経由することなく、調光値データが入力部５に入力値として入力される、という構成でもよい。
【００８１】
また、上記実施形態に係る調光装置４においては、出力部８は、制御値に基づいて、光源２に向けて電力を出力する、という構成である。しかしながら、調光装置は、斯かる構成に限られない。例えば、調光装置においては、出力部８は、光源２に向けて制御値（又は制御値に基づく出力値）を出力する、という構成でもよい。そして、光源２は、出力部８から出力された制御値（または制御値に基づく出力値）に基づいて、供給される電力を制御してもよい。
【符号の説明】
【００８２】
１…光源装置、２…光源、３…入力装置、３ａ…操作部、４…調光装置、５…入力部、６…記憶部、６ａ…設定値記憶部、６ｂ…入力値記憶部、６ｃ…制御値記憶部、７…制御部、７ａ…判定部、７ｂ…演算部、８…出力部
【図１】
2016195023.tif 000003
【図２】
2016195023.tif 000004
【図３】
2016195023.tif 000005
【図４】
2016195023.tif 000006
【図５】
2016195023.tif 000007
【図６】
2016195023.tif 000008
【図７】
2016195023.tif 000009
【図８】
2016195023.tif 000010
【図９】
2016195023.tif 000011
【図１０】
2016195023.tif 000012
【図１１】
2016195023.tif 000013